(57)【特許請求の範囲】
【請求項１】
スプールを有するスプール軸をリール本体に回転自在に支持すると共に、前記リール本体を構成する一方の側板に回転自在に支持されたキャップの回転操作により、前記スプール軸の端部を押圧して抵抗力を付与可能とした魚釣用リールにおいて、
前記キャップは、大径筒部と、この大径筒部に連続形成され、先端に向けて小径化する傾斜側部とを有し、
前記大径筒部と傾斜側部の夫々の周面に凹凸部を形成すると共に、前記大径筒部と傾斜側部に夫々形成される凹凸部の程度を、大径筒部よりも傾斜側部の方を大きく形成し、
前記傾斜側部は、指を当て付けた際の外側領域における交差する角度が１００°〜１７０°となるように傾斜角度が異なる複数の傾斜面を有することを特徴とする魚釣用リール。
【発明の詳細な説明】
【技術分野】
【０００１】
本発明は、リール本体の側板間に釣糸が巻回されるスプールを回転自在に支持した魚釣用リールに関し、詳細には、前記スプールを支持するスプール軸の端部を圧接してスプール回転に抵抗力を付与するスプール軸端圧接機構を備えた魚釣用リールに関する。
【背景技術】
【０００２】
両軸受型リールと称される魚釣用リールでは、例えば、特許文献１に開示されているように、リール本体の側板間に回転自在に支持したスプールに対し、釣糸繰出し時におけるスプール回転に抵抗力を付与して、任意にスプール回転状態を調整できるようにしたものが知られている。スプール回転に抵抗力を付与する手段として、前記特許文献１に開示されているように、スプール軸上の側板外側に、円筒状のキャップを回転可能に支持した筒部を突設しておき、前記キャップを回転操作することでスプール軸の端部を押圧し、スプール回転に抵抗力を付与する、いわゆるスプール軸端圧接機構が一般的に知られている。
【特許文献１】実開昭５８−５２９６７号
【発明の開示】
【発明が解決しようとする課題】
【０００３】
上記したように回転操作するキャップの外周には、摩擦抵抗を大きくして良好な回転操作を得るために、例えば、ローレット加工で表面を粗面化することが行われている。ところが、実際に釣場で使用している間に魚のヌメリや砂、異物等が外周表面に付着してローレットが目詰まりしてしまい、指で摘んで操作する際に滑り易くて回転操作し難くなるという問題がある。
【０００４】
また、円筒状のキャップ外周に親指を押し当てて回転操作する場合もあるが、このような押圧回転操作は滑り易いと共に、スペース上の制約もあり、押圧しながらの回転操作性については、改良すべき余地があると考えられる。
【０００５】
本発明は、上記した問題に着目して成されたものであり、キャップを回転操作し易くして、スプールに対する抵抗力を容易に調整できるスプール軸端圧接機構を備えた魚釣用リールを提供することを目的とする。
【課題を解決するための手段】
【０００６】
上記した目的を達成するために、本発明に係る魚釣用リールは、スプールを有するスプール軸をリール本体に回転自在に支持すると共に、前記リール本体を構成する一方の側板に回転自在に支持されたキャップの回転操作により、前記スプール軸の端部を押圧して抵抗力を付与可能とした構成において、前記キャップは、大径筒部と、この大径筒部に連続形成され、先端に向けて小径化する傾斜側部とを有し、前記大径筒部と傾斜側部の夫々の周面に凹凸部を形成すると共に、前記大径筒部と傾斜側部に夫々形成される凹凸部の程度を、大径筒部よりも傾斜側部の方を大きく形成し、前記傾斜側部は、指を当て付けた際の外側領域における交差する角度が１００°〜１７０°となるように傾斜角度が異なる複数の傾斜面を有することを特徴とする。
【０００７】
上記した構成では、スプール軸に対する抵抗力の調整は、キャップの大径筒部を指で摘んで回転操作することで行なうことができ、更には、リール本体を保持している側の手の親指を、大径筒部と傾斜側部の両部分に押し当てながらキャップを回転操作することで行なうことも可能となる。すなわち、キャップに傾斜側部を形成したことによって、この部分を指で摘んだり、或いは指を押し付けながらの回転操作が可能となり、キャップの操作性の幅が広がる。この場合、傾斜側部は、大径筒部の表面端部から、キャップの軸心に向けて縮径するような表面によって構成されれば良く、これにより、指で操作する際のスペースを大きく確保することが可能となる。
【０００８】
上記した構成において、前記大径筒部と傾斜側部に夫々形成される凹凸部の程度を、大径筒部よりも傾斜側部の方を大きくすることが好ましい。このような構成では、上記した回転操作方法の違いに応じて最適な操作感を得ることが可能となる。
【０００９】
また、上記した構成において、前記傾斜側部を、傾斜角度の異なる複数の傾斜面で構成することが好ましい。このような構成では、指を抑え付けながらのキャップの回転操作がより行ない易くなる。
【発明の効果】
【００１０】
本発明によれば、キャップを回転操作し易くして、スプールに対する抵抗力を容易に調整できるスプール軸端圧接機構を備えた魚釣用リールが得られる。
【発明を実施するための最良の形態】
【００１１】
以下、本発明に係る魚釣用リールの実施形態について、添付図面を参照して具体的に説明する。  
図１から図３は、本発明に係る魚釣用リールの一実施形態を示す図であり、図１は平面図、図２は図１に示す魚釣用リールのスプール軸端圧接機構を示す図、そして、図３は図２をＡ方向から見た図である。
【００１２】
本実施形態の魚釣用リールのリール本体１は、左右フレーム２ａ，２ｂと、各フレームに対し、所定の空間をもって装着される左右側板３ａ，３ｂを備えている。左右フレーム２ａ，２ｂ間には、釣糸が巻回されるスプール５がスプール軸５ａによって回転可能に支持されており、前記スプール５は、一方の側板側（本実施形態では、右側板３ｂ側）に回転可能に支持されたハンドル７を巻取り操作することで、巻取り駆動機構１０を介して回転駆動されるように構成されている。
【００１３】
前記巻取り駆動機構１０は、ハンドルを回転可能に支持するハンドル軸７ａにドラグ機構の摩擦板１１を介して取り付けられるドライブギヤ１２と、このドライブギヤ１２に噛合するピニオンギヤ１３とを備えている。この場合、ピニオンギヤ１３は、前記スプール軸５ａと同軸上に配設された支軸（作動軸）１５を囲繞するように中空状に形成されており、支軸１５に対して回転可能に支持されると共に、軸方向に沿って移動可能に支持されている。
【００１４】
なお、前記ドラグ機構は、ハンドル軸７ａに装着されるドラグ調節体１６を回転操作することにより、摩擦板１１に対する押圧力を調節して、ハンドル軸７ａとドライブギヤ１２との間で所望の滑り力を生じさせるようになっている。
【００１５】
前記ピニオンギヤ１３の端部には、断面非円形の係合凹所１３ａが形成されており、この係合凹所１３ａは、前記スプール軸５ａの端部に形成された凸部５ｂに対して、軸方向に移動することで係脱可能となっている。すなわち、ピニオンギヤ１３がスプール軸５ａに係合することで、ハンドル７の巻取り駆動力がスプール軸５ａ（スプール５）に伝達され、ピニオンギヤ１３がスプール軸５ａから外れることで駆動力の伝達が解除される。なお、この駆動力の伝達のＯＮ／ＯＦＦの切換えは、ピニオンギヤ１３に係合しているクラッチプレート１７を備えた公知のクラッチ機構によって行われ、クラッチプレート１７によってピニオンギヤ１３が支軸１５に沿って軸方向に駆動されることで成される。
【００１６】
前記スプール５は、前記支軸１５と、支軸１５の端部（端面）を圧接するキャップ３０とを備えたスプール軸端圧接機構２０によって、その回転に抵抗力が付与されるようになっている。すなわち、スプール軸端圧接機構２０は、キャップ３０を回転操作することで支軸１５をスプール軸５ａ側にスライドさせて、支軸１５の端面をスプール軸５ａの端面に圧接するよう構成されており、これによって回転するスプール軸５ａに抵抗力を付与して、スプール５の回転に所望の制動を掛けるようになっている。
【００１７】
前記支軸１５は、先端部が右側板３ｂから突出するように支持されており、右側板３ｂには、支軸１５の突出部分に、円筒状のキャップ装着部２２が設けられている。このキャップ装着部２２の内周には、前記ピニオンギヤ１３を回転可能に支持する軸受２４が配設されると共に、その外周の先端側には、雄ネジ部２５が形成されている。なお、キャップ装着部２２は、右側板３ｂに一体形成されていても良いし、図に示すように、右側板とは別体で、右側板３ｂに圧入固定されていても良い。
【００１８】
前記キャップ３０には、その内周側に前記雄ネジ部２５と螺合する雌ネジ部３１が形成されており、その底面には、支軸１５の端面１５ａに圧接する圧接部３２が設けられている。この場合、圧接部３２は、例えば、端面１５ａに圧接する金属製の押圧体３２ａと、押圧体３２ａと底面との間に介在される、ゴム等の弾性変形可能な緩衝体３２ｂとによって構成される。  
なお、前記支軸１５を省略して上述の特許文献１に開示されているように、スプール軸５ａを右側板３ｂから突出するように一体的に突出形成し、このスプール軸５の端面を、スプール軸端圧接機構２０のキャップ３０内の押圧体３２ａに圧接するように構成しても良い。
【００１９】
前記支軸１５は、キャップ装着部２２に対して回り止めされた状態で保持されている。すなわち、キャップ装着部２２の先端側にすり割り溝２２ａを形成すると共に、支軸１５の端部にすり割り溝２２ａに嵌合する嵌合片１５ｂを形成し、両者を嵌合状態にすることで、支軸１５は、キャップ装着部２２に対して軸方向に移動可能で、かつ回り止めされた状態に保持される。
【００２０】
上記したキャップ装着部２２と、これに螺合装着されるキャップ３０との間には、キャップ３０の回転に節度を持たせるように、クリック機構４０を装着しておくことが好ましい。クリック機構４０は、キャップ３０の開口側の内周面に沿って形成される円周凹凸部４１と、この円周凹凸部４１に弾発付勢される環状バネ４２によって構成される。この場合、環状バネ４２は、その中間領域がキャップ装着部２２に形成された円周溝２２ｂに装着されると共に、突出領域（円周凹凸部４１に弾発付勢されるように突出される部分）がバネ保持体４５によって保持された状態となっている。
【００２１】
このバネ保持体４５は、環状の部材で断面非円形の開口孔４５ａが形成されてキャップ装着部２２に回り止め固定されると共に、圧入カラー４６によって抜け止め固定された状態となっている。また、バネ保持体４５の環状部には、環状バネ４２の突出領域を突出させる開口４５ｂが形成されると共に、その反対側に環状バネ４２の基端部を保持する保持部４５ｃが形成されている。
【００２２】
上記したようなクリック機構４０を設置しておくことにより、キャップ３０を回転操作する際に、クリック音を発生させながら節度を持たせることが可能となる。
【００２３】
前記キャップ３０は、開口端側に形成され、軸方向に延出する外周面を備えた大径筒部３４と、この大径筒部３４に連続形成され、先端に向けて小径化する傾斜側部３５とを有している。
【００２４】
本実施形態における傾斜側部３５は、図に示すように、大径筒部３４の軸方向に延出する外周面に対して傾斜する２つの傾斜面３５ａ，３５ｂによって構成され、両傾斜面が交差する屈曲部３５ｃの領域に指が当て付けできるように構成されている。この場合、両傾斜面３５ａ，３５ｂの傾斜角度については後述する図７に示すように、指を当て付けた際に、その腹部が沿うような角度（１００°〜１７０°、好ましくは１２０°〜１５０°）で交差させることが好ましい。
【００２５】
なお、両傾斜面３５ａ，３５ｂの傾斜角度については、特に限定されることはなく、例えば、傾斜面３５ａ，３５ｂの内、傾斜面３５ａについては軸方向に対して直交するように形成しても良いし、或いは、傾斜面３５ａ，３５ｂの内、傾斜面３５ｂについては軸方向に沿うように形成しても良い。或いは、傾斜側部は、単一の傾斜面によって構成しても良い。
【００２６】
前記大径筒部３４と傾斜側部３５の夫々の周面には、凹凸部が形成されている。この凹凸部は、キャップ３０を指で摘んだり、指を抑え付けた際に、摩擦抵抗が大きくなるように構成されたものであれば良く、例えば、ローレット目を形成したり、粗面化処理したり、周方向に連続するようにして袋穴（凹所）や貫通孔を形成することで構成することが可能である。
【００２７】
本実施形態においては、後述する図５及び図７に示すように、大径筒部３４の外周面に形成される凹凸部は、網目状のローレット目３６によって構成され、傾斜側部３５に形成される凹凸部は、屈曲部３５ｃを中心にして傾斜面３５ａ，３５ｂに亘って延びる凹所３７を、周方向に沿って所定間隔毎（略６０°間隔で６箇所）に形成することで構成されている。
【００２８】
このため、本実施形態の構成では、大径筒部３４と傾斜側部３５に夫々形成される凹凸部の程度は、大径筒部よりも傾斜側部の方が大きく（凹凸部による摩擦抵抗の粗度が大きく）なっている。
【００２９】
なお、上記したようなローレット目３６については、図に示すような網目状以外にも、例えば、平目状、斜目状等にしても良く、凹所３７については、例えば、図４に示すように、略３０°間隔で１２個形成する等、その数や大きさ等、適宜変形することが可能である。
【００３０】
上記したような構成のスプール軸端圧接機構２０を備えた魚釣用リールによれば、スプール軸５ａの抵抗力を調整するに当たっては、大径筒部３４を親指と人差し指で摘んでキャップ３０を回転操作することで行なえる他、例えば、図５に示すように、傾斜側部３５の部分を親指Ｔ１と人差し指Ｔ２で摘んでキャップ３０を回転操作することで行なうことが可能となる。この場合、指で摘む部分に凹凸部が形成されていることから、滑りなど生じることなく、容易に回転操作することが可能となり、特に、後者の操作では、傾斜側部３５を構成する２つの傾斜面３５ａ，３５ｂが交差する屈曲部３５ｃに親指Ｔ１、人差し指Ｔ２の腹部が密着できることから、回転操作が容易に行なえるようになる。
【００３１】
また、上記したような傾斜側部を形成したことで、キャップ形状を小型化してスペースを確保することができ、また、指の腹部を大径筒部３４と傾斜側部３５の両部分に押し当てて回転操作することが可能になることから、側板３ｂとハンドル７やドラグ調節体１６等の限られたスペース内でキャップ３０を容易化かつ確実に操作することができるようになる。
【００３２】
また、図６に示すように、釣竿Ｒを握持した状態では、握持した手の親指Ｔ１をそのまま大径筒部３４と傾斜側部３５の両部分に押し当てながらキャップ３０を、滑ることなく回転操作できるようになる。このように、釣竿Ｒを握持する手を持ち替えることなく、リール本体１を保持した片方の手の操作でキャップ３０の回転操作が行なえるため、実用性が向上する。また、この際、図７に示すように、親指Ｔ１の腹部を傾斜側部３５に沿って密着させることができ、かつ凹凸部（凹所３７）によって指の腹部が引っ掛かるため、回転操作を容易に行なうことが可能となる。
【００３３】
また、上記した実施形態では、大径筒部３４と傾斜側部３５に夫々形成される凹凸部の程度を、大径筒部３４よりも傾斜側部３５の方が大きくなるように構成しているため、大径筒部３４を摘んで回転操作したり、或いは、大径筒部３４と傾斜側部３５の指で押し当てながら回転操作したり等、指による操作方法の違いや操作感に適応したキャップ３０の良好な回転操作を行なうことが可能になる。
【００３４】
以上、本発明の実施形態について説明したが、本発明は、上述した実施形態に限定されることは無く種々変形することが可能である。例えば、上記した傾斜側部３５は、図に示すように、大径筒部３４の表面端部から、キャップ３０の軸心に向けて縮径するような表面によって構成すべく、異なる角度の２つの傾斜面３５ａ，３５ｂによって構成されていたが、更に異なる角度の傾斜面を備えた構成であっても良い。また、キャップ３０の先端に至るまで傾斜面３５ｂが形成されていたが、部分的に大径筒部よりも小径となる円筒部が形成されていても良い。
【００３５】
また、上記した凹凸部の内、傾斜側部３５に形成される凹凸部（凹所３７）については、内部が視認できるように貫通孔としても良い。この場合、内部に色彩が付与されたワッシャ等を設置しておき、そのワッシャを、貫通孔を介して視認できるようにすることで、キャップの位置（スプールに付与される抵抗力の度合い）を容易に把握できるようにすることもできる。
【図面の簡単な説明】
【００３６】
【図１】本発明に係る魚釣用リールの一実施形態を示す平面図。
【図２】図１に示す魚釣用リールのスプール軸端圧接機構を示す図。
【図３】図２をＡ方向から見た図。
【図４】キャップの変形例を示す図。
【図５】キャップの回転操作方法の一例を示す図。
【図６】釣竿を保持した片方の手による操作方法例を示す図。
【図７】図６に示す操作方法におけるキャップ部分の拡大図。
【符号の説明】
【００３７】
１  リール本体
３ａ，３ｂ  側板
５  スプール
５ａ  スプール軸
７  ハンドル
１０  巻取り駆動機構
１３  ピニオンギヤ
１５  支軸
２０  スプール軸端圧接機構
３０  キャップ
３４  大径筒部
３５  傾斜側部
３６  ローレット目（凹凸部）
３７  凹所（凹凸部）
【図１】
0004562192.tif 000002
【図２】
0004562192.tif 000003
【図３】
0004562192.tif 000004
【図４】
0004562192.tif 000005
【図５】
0004562192.tif 000006
【図６】
0004562192.tif 000007
【図７】
0004562192.tif 000008